(57)【要約】【課題】電線に防水ゴムを挿入する時に、把持部から突き出させた端部が折れ曲がることなく挿入することのできる挿入方法を提供することであり、またその際には、挿入された電線に取り付けられる端子が、電線の芯線と電気的に良好な接触の得られる状態で挿入される挿入方法を提供することにある。【解決手段】電線１をこの電線１の端部２より後退した位置で把持する把持部１０と、防水ゴム３を保持して端部２に防水ゴム３を挿入させるチャック２０と、を有する挿入装置により、把持部１０から突き出た端部２に防水ゴム３を所望の深さＤに挿入させる方法である。即ち、所望の深さＤに挿入させるために必要な端部の突き出し長さＬよりも短くなる把持位置で電線１を把持して、防水ゴム３を挿入させて半挿入状態とする初期挿入と、半挿入状態にした時の把持位置よりも後退した位置に把持し直して、半挿入状態の防水ゴム３を更に挿入する追加挿入と、を有するのである。【選択図】    図１
2005044543.tif 000002
【特許請求の範囲】
【請求項１】
電線をこの電線の端部より後退した位置で把持する把持部と、防水ゴムを保持して前記端部に前記防水ゴムを挿入させるチャックと、を有する挿入装置により、前記把持部から突き出た前記端部に前記防水ゴムを所望の深さに挿入させる方法であって、
所望の深さに挿入させるために必要な端部の突き出し長さよりも短くなる把持位置で電線を把持して、前記防水ゴムを挿入させて半挿入状態とする初期挿入と、
半挿入状態にした時の把持位置よりも後退した位置に把持し直して、前記半挿入状態の防水ゴムを更に挿入する追加挿入と、を有することを特徴とする防水ゴムの挿入方法。
【請求項２】
請求項１記載の防水ゴムの挿入方法において、防水ゴムが挿入された後にこの防水ゴムから突き出させた端部の被覆を剥皮する場合であって、この突き出た端部の防水ゴム寄りに被覆が残った状態で剥被される場合に、
把持部が前記電線の引き戻し可能な程度に把持を緩めると共に、この緩めた状態で前記電線を引き戻すことにより前記防水ゴムを前記把持部に当接させて引き抜き方向にズラすことを特徴とする挿入方法。
【発明の詳細な説明】
【発明の属する技術分野】
この発明は、コネクタハウジングの端子収容室に挿入される電線を防水ゴムに挿入させる際の挿入方法の改良に関する。
【０００１】
【従来の技術】
【発明が解決しようとする課題】
電線に防水ゴムを挿入する方式の１つに、図３に示す様に繰り出された電線１を把持部１０で把持し、この把持された電線１に挿入しうる向きでチャック２０に保持された防水ゴム３を、断線の端部２に押し付けて挿入させる方法がある。
【０００２】
この場合、把持部１０は電線１の端部２が図３（ａ）に示す様に、長さＬだけ出させておくことにより、電線１の端部２側からチャック２０に保持された防水ゴム３を押し込み（図３（ｂ））、所定の深さＤまで差し込むと（図５（ｃ））、チャック２０が２分割に開いて防水ゴム３を放し（図３（ｄ））、挿入が完了する。挿入された電線は一般には、次工程で端部の被覆が剥離され（図３（ｅ））、ここに端子が装着されることとなる。
【０００３】
この場合、把持部２０から突き出させる端部の長さＬは、図３（ｄ）に示す様に、防水ゴム自身の長さＢの他に、挿し終わった防水ゴムと把持部との間のチャックの突き出し分Ｅなどによる必要な逃がし分Ａと、端子を装着する側の剥被作業分Ｃとの合計になる。
【０００４】
ただこの場合、端部の長さＬが長いと、ここに防水ゴムを挿入する時に、電線が折れ曲がってしまうことがあり、この場合は当然挿入出来なくなるのであるが、この様な挿入ミスがある程度の確率で起こっている。特に電線が細くなればこの様な傾向が出てくる。
【０００５】
またこの様に防水ゴムを挿入した電線は、防水ゴムが挿入された後にこの防水ゴムから突き出させた端部の被覆を剥皮するのが一般である。これは剥被されて露出した芯線に図４に示した様な端子Ｘを取り付ける必要があるからであり、剥被された芯線５に端子Ｘの爪Ｘａがカシメられるのである。ただこの場合、図５に示す様に剥被した端部２の防水ゴム寄りには被覆が残った剥き残し部分６ができてしまう。これは電線への剥被する切り込みは、剥被刃の厚み分だけ離さないとできず、また剥被刃で防水ゴムを切断してしまわないためにも防水ゴムから多少は離れた位置を切断する必要もあり、その為にこの様な遊びが必要なために生ずるものである。ただこの様な被覆の剥き残し部分６があるとそれだけ端子との接触が不良になる傾向になる。
【０００６】
よって本願発明の目的とするところは、電線に防水ゴムを挿入する時に、把持部から突き出させた端部が折れ曲がることなく挿入することのできる挿入方法を提供することであり、またその際には、挿入された電線に取り付けられる端子が、電線の芯線と電気的に良好な接触の得られる状態で挿入される挿入方法を提供することにある。
【０００７】
【課題を解決するための手段と発明の効果】
この課題を解決するために本願請求項１記載の発明の防水ゴムの挿入方法は、電線をこの電線の端部より後退した位置で把持する把持部と、防水ゴムを保持して前記端部に前記防水ゴムを挿入させるチャックと、を有する挿入装置により、前記把持部から突き出た前記端部に前記防水ゴムを所望の深さに挿入させる方法であって、所望の深さに挿入させるために必要な端部の突き出し長さよりも短くなる把持位置で把持して、前記防水ゴムを挿入させて半挿入状態とする初期挿入と、半挿入状態にした時の把持位置よりも後退した位置に把持し直して、前記半挿入状態の防水ゴムを更に挿入する追加挿入と、を有することを特徴とする。
【０００８】
初期挿入は防水ゴムが挿入されていない状態の電線に対して成される。追加挿入は防水ゴムが半挿入状態の電線に対して成されるので、初期挿入の後の半挿入状態に対して成されるか、或いは追加挿入の後の半挿入状態に対してもう一度成されるものである。従って初期挿入は最初に１回だけであるが、追加挿入はこれに続いて１回以上であれば何回でもいい。つまり初期挿入と１回の追加挿入の計２回（計２回挿し）であっても、追加挿入が２回の計３回挿しであっても、或いはそれ以上であってもよい。
【０００９】
初期挿入の際の把持位置は、防水ゴムを挿入させる時に電線が折れ曲がらない位置であればどの様な位置でもよい。追加挿入の際の把持し直す位置も、挿入する際に折れ曲がらない位置であればよい。
また挿入させる際には、静止している電線に防水ゴムが挿入されるのでも、或いは防水ゴムが静止していてこれに電線が挿入されるのでも、或いは双方が動いて挿入されるのでもよい。
【００１０】
請求項２記載の発明は、請求項１記載の防水ゴムの挿入方法において、防水ゴムが挿入された後にこの防水ゴムから突き出させた端部の被覆を剥皮する場合であって、この突き出た端部の防水ゴム寄りに被覆が残った状態で剥被される場合に、把持部が前記電線の引き戻し可能な程度に把持を緩めると共に、この緩めた状態で前記電線を引き戻すことにより前記防水ゴムを前記把持部に当接させて引き抜き方向にズラすことを特徴とする。
【００１１】
【発明の実施の形態】
次ぎに本願発明の防水ゴムの挿入方法の実施例を、図を用いて説明する。
（実施例１）；この方法は、電線１をこの電線１の端部２より後退した位置で把持する把持部１０と、防水ゴム３を保持して端部２に防水ゴム３を挿入させるチャック２０と、を有する挿入装置により挿入する場合の挿入方法である。
【００１２】
電線１は、図示しない一対のロールで挟まれながら繰り出されるものであり、繰り出された電線１の端部２付近を挟むことのできる機構で把持する把持部１０により把持される様になっている。チャック２０は、防水ゴム３と略同形状の収納部２１を有し、この収納部２１を縦割りする様な状態で２分割に分離できる２片２０ａ，２０ａが合わさった状態からなっている。そしてチャック２０は防水ゴム３を保持した時の挿し込み口２２側がテーパーに形成され、挿し込まれる電線端部２が防水ゴム３の挿し込み孔４に案内される様になっている。
【００１３】
この様なチャック２０に保持された防水ゴム３は、まず初期挿入が成される。
その際には、防水ゴム３を一回の挿入で所望の深さＤに挿入させる場合を想定し、又その所望の深さＤに挿入させるために必要な端部の突き出しが長さＬであるとすると（図１（６）参照）、この長さＬよりも短くなる把持位置で電線１を把持させておく（図１（１））。これはローラーによる電線１の繰り出し量をコントロールすればよい。一方、防水ゴム３は他の工程から何らかの方法でチャック２０に供給され、これによりチャック２０に保持されて電線１の端部２と対面する配置にする。この状態から、まず防水ゴム３はチャック２０ごと前進して電線端部２に押し当てられ、チャック２０のテーパー２２ａに案内された端部２が防水ゴム３に挿入される（図１（２））。ただ電線１は把持部１０からの突き出しが短いので、この例では端部２が防水ゴム３の内部で挿し止まった様な半挿入状態となっている。
【００１４】
次ぎに追加挿入が成される。まず防水ゴム３が前記の様に初期挿入により半挿入状態なると、把持部１０はこの時の把持位置よりも後退した位置に把持し直すのである。具体的には、初期挿入終了時の状態である図１（２）から、まず把持部２０が開き（図１（３））、この状態でローラーにより電線１が繰り出される。繰り出し量は、把持部１０から突き出しが、所望の深さへの挿入が可能となる長さＬである（図１（４））。この時、電線１の先端に半挿入となっている防水ゴム３は、繰り出される電線１と同期を採り、電線１と一緒にチャック２０ごと移動することとなる。これは、チャック２０が電線１を繰り出すローラーの制御と同期が採られていて、電線１の繰り出し速度と同じ早さで、繰り出される長さだけ動く様になっていることにより実現されている。そして繰り出し終わったら、防水ゴム３は再度チャック２０と共に前進して所望の深さに挿入される（図１（５））。
後はチャック２０が２分割に開いて離され、挿入が完了する（図１（６））。
【００１５】
なお追加挿入により必ず所望の深さに挿入しなければならないものではない。例えば所望の深さが割と深めであるために１回の追加挿入では挿入しきれない場合などは、この１回目の追加挿入によってもなお半挿入状態に止めおかなければならない場合がある。無理に１回の追加挿入で挿し切ろうとすると、その為の繰り出し量が長くなり過ぎて、電線が折れ曲がる様な場合があり、よって折れ曲がらない程度の繰り出し量で追加挿入をおこなうこととなるのである。ただこの場合には通過挿入は終わってもなお半挿入状態であるので、再度の追加挿入を行い、最終的に所望の深さへの挿入を達成させることとなるのである。この場合は、１回の初期挿入と、２回の追加挿入で、計３回挿入することとなる。
或いは、所望の深さ自体はさほど深くなくても、電線が細い場合には、折れ曲がらない長さが短く、この様な場合にも追加挿入を複数回にするなどすることにより折れ曲がりのない挿入が可能となる。
【００１６】
（実施例２）；なおこの様な実施例１の挿入方法に、下記の、図２に示す様な後処理的な方法を付加してもよい。これは、防水ゴムの挿入された電線が、最終的には端子が取り付けられるものである為に付加される処理である。
即ち、実施例１の様にして防水ゴムの挿入が完了すると、次ぎに防水ゴムから突き出させた端部の被覆を、一対の剥被刃３０により剥皮するのである（図２（１）参照）。これには例えば前述のチャックや今述べた剥被刃が横並びに準備されていて、把持部に把持された電線が把持部によりチャックに臨む位置や、剥被刃に臨む位置に移動できる様にしておけばよいのである。この様な方法により、剥被刃３０に防水ゴム３の挿入された電線１を臨ませると、剥被刃３０が開いた状態で電線１の端部２を噛むことのできる位置に前進し、ここで一対の剥被刃３０が、被覆は切るが芯線は切らない位置まで閉じ（図２（１））、この被覆に食い込んだままの状態で、一対の剥被刃３０は後退し、これにより、被覆４が剥被され、芯線５が露出されるのである（図２（２））。次ぎに、把持部２０が電線１を把持状態ながらも、電線１の引き戻し可能な程度に把持を緩めると共に（図２（３））、この緩めた状態で図示しないローラーの逆回転により電線を引き戻して防水ゴム３を把持部２０に当接させ（図２（４））、更に電線１を引き戻すことにより、防水ゴム３を引き抜き方向にズラすことができるのである（図２（５））。この時の引き戻し量は、防水ゴムから出ていた被覆の剥き残し部分６だけとするので、剥き残し分６が防水ゴム３の中に引き込まれ、そのため防水ゴム３からでている端部２は、図２（５）に示されている様に芯線５の部分のみとなるのであり、結果、ここに端子を取り付ける時には芯線５との接触面が増え、電気接触が良好になる。なお、剥き残し分６だけ防水ゴム３に引き込むズラしをすることにより、端子２部分の長さが短くなってしまうのであれば、その分を見込んだ深さに防水ゴム３を挿入しておけばよい。
【図面の簡単な説明】
【図１】この図は、実施例１の挿入方法を説明する図である。
【図２】この図は、実施例２に示す、挿入の後で行う防水ゴムのズラしてある。
【図３】この図は、従来の挿入方法の図である。
【図４】この図は、電線に取り付ける端子の図である。
【図５】この図は、防水ゴムを挿入し被覆を剥被した電線の端部に対する、端子の取付け位置と剥き残し及び芯線との関係を説明する図である。
【符号の説明】
１  電線
２  端部
３  防水ゴム
４  被覆
５  芯線
１０  把持部
２０  チャック
２１  収納部
３０  一対の剥被刃
Ｄ  防水ゴムを挿入させる所望の深さ
Ｌ  所望の深さＤに挿入させるために必要な端部の突き出し長さ
【図１】
2005044543.tif 000003
【図２】
2005044543.tif 000004
【図３】
2005044543.tif 000005
【図４】
2005044543.tif 000006
【図５】
2005044543.tif 000007